(57)【要約】    【課題】  用紙１枚毎に正確な紙種情報を得ることが可能で、紙に対する的確な定着性やカラー濃度調整を行える画像形成方法を提供する。    【解決手段】  画像が形成される記録媒体の紙種を判定し（Ｓ３０２）、判定された紙種情報に基づいて定着モードを決定し（Ｓ３０２）、決定した定着モードで記録媒体に画像を形成する（Ｓ３０３）。【選択図】      図３
2005107281.tif 000002
【特許請求の範囲】
【請求項１】
ＩＣチップが付加された記録媒体上に画像を形成する画像形成方法において、
画像を画像形成工程により前記記録媒体上に形成するのに先駆けて前記記録媒体の紙種を判定する紙種判定工程と、
前記紙種判定工程により判定された紙種情報に基づき画像形成モードを決定するモード決定工程と
を備えたことを特徴とする画像形成方法。
【請求項２】
前記ＩＣチップは、無線認識のＩＣチップであって、電波を照射することで発生する自己整流を電力源として動作し、保持しているデータを無線で送り返し、画像形成装置の紙種データベースに照会することで紙種を判定することを特徴とする請求項１記載の画像形成方法。
【請求項３】
前記モード決定工程とは、前記紙種判定工程により判定した紙種情報により、定着モード、または／及びカラー濃度調整を決定することを特徴とする請求項１記載の画像形成方法。
【請求項４】
前記モード決定工程とは、用紙１枚単位及びジョブ単位に変更することが可能であることを特徴とする請求項１記載の画像形成方法。
【請求項５】
前記定着モード及びカラー濃度調整情報を、画像形成ログとして登録管理する管理工程を備えたことを特徴とする請求項１記載の画像形成方法。
【請求項６】
前記紙種判定工程により判定した記録媒体の紙種情報に基づき給紙口及び定着モードを自動的に選択する選択工程を備えたことを特徴とする請求項１記載の画像形成方法。
【請求項７】
外部装置からのプリントジョブを受信する受信工程を備え、
前記画像形成工程は、前記受信工程により受信したプリントジョブに対する画像形成も可能であることを特徴とする請求項１乃至６のいずれかに記載の画像形成方法。
【請求項８】
前記プリントジョブはページ記述言語で記述され、
前記ページ記述言語で記述されたプリントジョブをラスター画像データに展開する展開工程と、
前記展開工程により展開されたラスター画像データの形式または圧縮ラスター画像の形式で保持する保持工程と
を備えたことを特徴とする請求項１乃至７のいずれかに記載の画像形成方法。
【請求項９】
ＩＣチップが付加された記録媒体上に画像を形成する画像形成装置において、
画像を画像形成手段により前記記録媒体上に形成するのに先駆けて前記記録媒体の紙種を判定する紙種判定手段と、
前記紙種判定手段により判定された紙種情報に基づき画像形成モードを決定するモード決定手段と
を備えたことを特徴とする画像形成装置。
【請求項１０】
前記ＩＣチップは、無線認識のＩＣチップであって、電波を照射することで発生する自己整流を電力源として動作し、保持しているデータを無線で送り返し、画像形成装置の紙種データベースに照会することで紙種を判定することを特徴とする請求項９記載の画像形成装置。
【請求項１１】
前記モード決定手段とは、前記紙種判定手段により判定した紙種情報により、定着モード、または／及びカラー濃度調整を決定することを特徴とする請求項９記載の画像形成装置。
【請求項１２】
前記モード決定手段とは、用紙１枚単位及びジョブ単位に変更することが可能であることを特徴とする請求項９記載の画像形成装置。
【請求項１３】
前記定着モード及びカラー濃度調整情報を、画像形成ログとして登録管理する管理手段を備えたことを特徴とする請求項９記載の画像形成装置。
【請求項１４】
前記紙種判定手段により判定した記録媒体の紙種情報に基づき給紙口及び定着モードを自動的に選択する選択手段を備えたことを特徴とする請求項９記載の画像形成装置。
【請求項１５】
外部装置からのプリントジョブを受信する受信手段を備え、
前記画像形成手段は、前記受信手段により受信したプリントジョブに対する画像形成も可能であることを特徴とする請求項９乃至１４のいずれかに記載の画像形成装置。
【請求項１６】
前記プリントジョブはページ記述言語で記述され、
前記ページ記述言語で記述されたプリントジョブをラスター画像データに展開する展開手段と、
前記展開手段により展開されたラスター画像データの形式または圧縮ラスター画像の形式で保持する保持手段と
を備えたことを特徴とする請求項９乃至１５のいずれかに記載の画像形成装置。
【請求項１７】
請求項１乃至８のいずれかに記載の画像形成方法を実現するためのコンピュータ読み取り可能なプログラムコードを有することを特徴とするプログラム。
【請求項１８】
請求項１乃至８のいずれかに記載の画像形成方法を実現するためのコンピュータ読み取り可能なプログラムコードを保持したことを特徴とする記憶媒体。
【発明の詳細な説明】
【技術分野】
【０００１】
本発明は、ＩＣ（集積回路）チップが付加された記録媒体上に画像を形成する画像形成方法、画像形成装置、プログラム及び記憶媒体に関する。
【背景技術】
【０００２】
近年では、僅か０．４ｍｍ角で厚さ６０ミクロンの非接触ＩＣチップが開発され、様々な媒体への組み込みが検討されている。このＩＣチップは、無線認識のＩＣチップ（ＲＦＩＤチップ）であって、電子レンジでも使われている数ＧＨｚ帯のマイクロ波を照射することで発生する自己整流を電力源として動作し、１２８ビットのデータを無線で送り返す。このデータをデータベースに照会することで、認証等を行うことが可能となる。このようなＲＦＩＤチップは、既に１０年位前から実用化されている。例えば、ＪＲ東日本で採用したＩＣカードのＳｕｉｃａ（スイカ）、自動車の盗難防止のためのイモビライザー、万引き防止用のタグ等、多くの事例がある（例えば、特許文献１参照）。
【０００３】
代表的な適用例として、ＩＤ（識別子）カードやパスポート等の紙メディアの偽造防止対策が挙げられ、今後、紙に漉き込んだサンプルも近々完成する予定である。
【０００４】
上記従来技術を受けて、前述したＩＣチップを一般の紙に漉き込み、更には、紙に漉き込まれた情報を有効活用する等の様々な応用例が検討されている。
【特許文献１】特開２００２−１２０４７５号公報
【発明の開示】
【発明が解決しようとする課題】
【０００５】
しかし、上述した従来例においては、用紙１枚毎に正確な紙種情報を得ることが困難であり、紙に対する的確な定着性やカラー濃度調整が行えないという問題点があった。
【０００６】
本発明は、上記事情に鑑みてなされたもので、その目的は、用紙１枚毎に正確な紙種情報を得ることが可能で、紙に対する的確な定着性やカラー濃度調整を行える画像形成方法、画像形成装置、プログラム及び記憶媒体を提供することである。
【課題を解決するための手段】
【０００７】
上記目的を達成するために本発明の画像形成方法は、ＩＣチップが付加された記録媒体上に画像を形成する画像形成方法において、画像を画像形成工程により前記記録媒体上に形成するのに先駆けて前記記録媒体の紙種を判定する紙種判定ステップと、前記紙種判定ステップにより判定された紙種情報に基づき画像形成モードを決定するモード決定ステップとを備えたことを特徴とする。
【０００８】
また、上記目的を達成するために本発明の画像形成装置は、ＩＣチップが付加された記録媒体上に画像を形成する画像形成装置において、画像を画像形成手段により前記記録媒体上に形成するのに先駆けて前記記録媒体の紙種を判定する紙種判定手段と、前記紙種判定手段により判定された紙種情報に基づき画像形成モードを決定するモード決定手段とを備えたことを特徴とする。
【発明の効果】
【０００９】
以上詳述したように本発明によれば、紙１枚毎に正確な紙種情報を得ることが可能となり、紙に対する的確な定着性及びカラー濃度調整が可能となる。
【００１０】
また、使い勝手の向上が期待でき、ユーザフレンドリーな装置（ユーザがその都度定着モード／カラー濃度調整を指定する必要が無い装置）を提供できる。
【発明を実施するための最良の形態】
【００１１】
以下、本発明の各実施の形態を図面に基づき説明する。
【００１２】
［第１の実施形態］
まず、本発明の第１の実施形態を図１乃至図４に基づき説明する。
【００１３】
以下の実施形態では本発明の適用例としてカラー複写機を用いた例が示されるが、本発明はこれに限られるものではなく、他の種々の装置に適用できることは勿論である。
【００１４】
図１は、本発明の第１の実施形態における画像形成装置であるカラー複写機の内部構成を示す断面図である。同図において、１００はカラー複写機で、イメージスキャナ部１００Ｓとプリンタ部１００Ｐとから構成されている。
【００１５】
イメージスキャナ部１００Ｓは、４００ｄｐｉ（ｄｏｔｓ／ｉｎｃｈ）の解像度で原稿を読み取り、デジタル信号処理を行う部分である。プリンタ部１００Ｐは、イメージスキャナ部１００Ｓによって読み取られた原稿画像に対応した画像を４００ｄｐｉの解像度で用紙にフルカラーでプリント出力する部分である。
【００１６】
イメージスキャナ部１００Ｓにおいて、１０１は鏡面圧板であり、原稿台ガラス（以下、プラテンと記述する。）１０２上の原稿１０３は、ランプ１０４ａ，１０４ｂで照射され、ミラー１０５，１０６，１０７に導かれ、レンズ１０８によって、３ラインセンサ（以下、ＣＣＤと記述する。）１０９上に像を結び、フルカラー情報レッド（Ｒ）、グリーン（Ｇ）、ブルー（Ｂ）成分として信号処理部１１０に送られる。ランプ１０４及びミラー１０５は速度Ｖで、ミラー１０６，１０７は速度１／２Ｖでラインセンサの電気的走査（主走査）方向に対して垂直方向に機械的に動くことによって、原稿全面を走査（副走査）する。
【００１７】
信号処理部１１０においては、読み取られた画像信号を電気的に処理し、マゼンタ（Ｍ）、シアン（Ｃ）、イエロー（Ｙ）、ブラック（Ｂｋ）の各成分に分解し、プリンタ部１００Ｐに送る。また、イメージスキャナ部１００Ｓにおける一回の原稿走査につき、Ｍ、Ｃ、Ｙ、Ｂｋの内１つの成分がプリンタ部１００Ｐに送られ、計４回の原稿走査によって、１回のプリントアウトが完成する。
【００１８】
イメージスキャナ部１００Ｓより送られて来るＭ、Ｃ、Ｙ、Ｂｋの各画像信号は、レーザドライバー１１１に送られる。レーザドライバー１１１は、送られて来た画像信号に応じ、半導体レーザ１１２を変調駆動する。レーザ光は、ポリゴンミラー１１３、ｆ−θレンズ１１４、ミラー１１５を介して、感光ドラム１１６上を走査する。
【００１９】
１１７は回転現像器であり、マゼンタ現像部１１８、シアン現像部１１９、イエロー現像部１２０、ブラック現像部１２１より構成され、４つの現像部が交互に感光ドラム１１６に接し、この感光ドラム１１６上に形成された静電現像をトナーで現像する。
【００２０】
１２２は転写ドラムであり、用紙カセット１２３または１２４より供給される用紙をこの転写ドラム１２２に巻き付け、感光ドラム１１６上に現像された像を用紙に転写する。
【００２１】
このようにして、Ｍ、Ｃ、Ｙ、Ｂｋの４色が順次転写された後に、用紙は、定着ユニット１２５を通過して、トナーが用紙に定着された後に排紙される。
【００２２】
定着の際、図２に示したような各種の定着モードを切り替える。この定着モードとしては、図２に示すように、例えば、モード（ｍｏｄｅ）１が厚紙モード、モード（ｍｏｄｅ）２が普通紙モード（Ｄｅｆａｕｌｔ）、モード（ｍｏｄｅ）３が薄紙モード、モード（ｍｏｄｅ）４がカール防止モード、モード（ｍｏｄｅ）５がＯＨＰモードである。一般的に、厚紙の場合は定着温度が高く、薄紙の場合は定着温度が低くなるように定着温度を制御すると同時に、プロセススピードも制御する。
【００２３】
本実施形態では、給紙時に、紙に漉き込み等の手段により付加されているＩＣチップからの情報により紙種を判定し、その情報に基づき、定着モードを変更することを特徴とする。
【００２４】
以下、図３を用いて詳細に説明する。
【００２５】
図３は、本発明の第１の実施形態におけるカラー複写機１００の動作の流れを示すフローチャートである。
【００２６】
まず、コピースタートと共に、ステップＳ３０１で、カラー複写機１００にエラーが発生しているか否かを確認し、エラーが発生していたら解除されるまで待つ。また、エラーが発生していない場合は、ステップＳ３０２へ進んで、カラー複写機１００の用紙カセット１２３または１２４より用紙の給紙をスタートすると共に、紙種を判定し、定着モードを決定する。用紙１枚、或いはジョブ単位に定着モードを変更することが可能である。
【００２７】
前記紙種の判定は、ＩＣチップ（紙種情報が記憶されている）が漉き込み等の手段により付加された用紙より情報を得て判定する。即ち、そのＩＣチップは、無線認識のＩＣチップ（ＲＦＩＤチップ：基本構成については、図４を用いて後述する。また、最近では、様々なＩＣチップの技術検討が行われており、一例として、（http://www.hitachisemiconductor.com/sic/jsp/japan/jpn/Gain/135/next/index.htmlを参照）、電子レンジでも使われている数ＧＨｚ帯のマイクロ波等の電波を照射することで発生する自己整流を電力源として動作し、１２８ビットのデータを無線で送り返す。そのデータを入手して紙種を判定する。
【００２８】
次に、ステップＳ３０３で、前記ステップＳ３０２において決定した定着モードでコピーを実行する。次に、ステップＳ３０４で、コピーが終了したか否かを終了するまで判断する。そして、コピーが終了した場合は、次にステップＳ３０５へ進んで、コピー料金を計算すると共に、ログにも登録した後、本処理動作を終了する。
【００２９】
前記ステップＳ３０５におけるコピー料金の計算には、前記紙種情報（普通紙、厚紙、特殊紙等）と、カラー・白黒等のコピー条件、印刷枚数／面数（片面、両面）等を計算因子として計算される。また、ログには、定着モード情報も記憶される。
【００３０】
また、給紙前に事前に紙種の判定が可能な装置では、紙種判定後、定着モード及び給紙口の自動選択（厚紙系は手差しトレイより給紙等）も可能である。
【００３１】
図４は、ＩＣチップ（ＲＦＩＤチップ）の基本構成を説明するための図であり、同図において、４０１はフロントエンドシステムであり、即ち、４０２は１２８ビットのミューチップデータで、ヘッダ４０２ａ、識別子４０２ｂ、アプリデータ４０２ｃを有している。４０３は台紙で、その中央部には内部アンテナ付きミューチップ４０４が設けられている。また、外部アンテナ付きタイプもあり、４０７は外部アンテナで、その中央部には外部アンテナ付きミューチップ４０８が設けられている。
【００３２】
次に、バックエンドシステム４０９について説明すると、４０５はリーダ側アンテナ、４０６はリーダで、リーダ側アンテナ４０５と接続されている。４１０はＰＣ（パーソナルコンピュータ）であり、紙種情報ＤＢと接続されている。
【００３３】
本実施形態に当てはめて説明すると、紙にＩＣチップ（ＲＦＩＤチップ：本実施形態では、内部アンテナ付きミューチップ４０４を使用）を漉き込み等の手段により付加し、事前に紙種情報をＩＣチップ内に記憶する。そして、リーダ側アンテナ４０５、リーダ４０６、ＰＣ４１０（ＰＣそのものでなくても良く、ＣＰＵ、メモリ等があれば良い）、紙種情報ＤＢは、カラー複写機内に内蔵し（不図示）し、ミューチップからの紙種情報（無線情報）と紙種情報ＤＢとの照会を行い、紙種を判定し実現することを特徴とする。
【００３４】
次に、料金ボックス（不図示）の操作部の構成を説明する。料金ボックスは、図示しないシリアルケーブルでカラー複写機１００と接続された箱であり、ユーザからの料金投入・残額表示・残金返却等の処理を行う。この料金ボックスの上面に操作部がある。
【００３５】
上記操作部の構成において、硬貨投入口は、ユーザからの硬貨（５００円玉、１００円玉、５０円玉、１０円玉、５円玉、１円玉）の投入を受け付ける。残額表示部は、硬貨が投入されるとその投入された金額が表示され、コピーが実行されると実行した分の料金が引かれて表示される。表示最高金額は、例えば、９，９９９円である。返却・つり銭ボタンは、押されると残額表示部に表示されている残金が返却口（図示せず）に返却される。このとき、残額表示部の表示は“０”に戻る。
【００３６】
本実施形態によれば、紙に漉き込み等の手段により付加された情報を有効に活用するために、コピー・プリント制御に応用することを目的とし、以下を特徴とする。
【００３７】
紙に付加されたＩＣチップに紙種情報を事前に記憶しておき（製造元に、そのような紙を作ってもらう）、その情報を元に、定着モードの変更、またはカラー濃度調整を自動的に切り替える。
【００３８】
このような構成にすることにより、用紙１枚毎に紙種情報を得ることが可能となり、紙に対する的確な定着性及びカラー濃度調整が可能となる一方で、ユーザフレンドリーな装置の提供が可能となる。
【００３９】
［第２の実施形態］
次に、本発明の第２の実施形態について、図５を用いて説明する。
【００４０】
尚、本実施の形態に係る画像形成装置の構成は、上述した第１の実施形態における図１と同一であるから、同図を流用して説明する。
【００４１】
本実施形態は、給紙時に、紙に漉き込等の手段により付加されているＩＣチップからの情報により紙種を判定し、その情報に基づき、カラー濃度を自動的に調整することを特徴とする。
【００４２】
以下、本実施形態における画像形成装置の動作を、図５を用いて説明する。
【００４３】
図５は、本実施形態における画像形成装置であるカラー複写機１００の動作の流れを示すフローチャートである。
【００４４】
まず、コピースタートと共に、ステップＳ５０１で、カラー複写機１００にエラーが発生しているか否かを判断し、エラーが発生していた場合は解除されるまで待つ。また、エラーが発生していない場合は、ステップＳ５０２へ進んで、カラー複写機１００の用紙カセット１２３または１２４より用紙の給紙をスタートすると共に、紙種を判定し、カラー濃度を決定する。用紙１枚、或いはジョブ単位にカラー濃度を調整することが可能である。
【００４５】
カラー濃度調整とは、具体的に下記処理が行われる。
【００４６】
原稿画像に下地と呼ばれる背景部分（通常白色で構成される）を持つ原稿（用紙）では、できる限り白色（印刷しない）で再現することが望まれる。更に、下地を除去しても他の色の色再現性を劣化させることなく、色再現することが望まれる。これに対する解決策としては、例えば、特願平３−２２３９０９号では、下地レベルを検出し、Ｒ，Ｇ，Ｂ信号の非線型変換処理によって下地を除去する方法が提案されている。
【００４７】
原稿画像の色分布がハードコピー出力装置の色再現範囲を逸脱している原稿（用紙）では、その部分の階調性が損なわれる。このような原稿では、原稿画像の色分布をハードコピー出力装置の色再現範囲内にマッピングすることが望ましく、これに関しては、例えば、特願平４−１６８９６８号では、原稿画像の色分布を検出し、検出された色分布に従ってマトリツクス変換を行い、色再現範囲内にマッピングする方法が提案されている。
【００４８】
カラー複写装置では、予め想定された入力画像のダイナミックレンジを階調変換し、ダイナミックレンジの圧縮を行っているが、原稿画像が予め想定されているダイナミックレンジより大きなレンジを有する場合は、ダーク部で階調性が損なわれる。
【００４９】
これに対する解決策としては、例えば、画像信号の輝度−濃度変換処理での対数変換回路（不図示）において、変換式を修正してダイナミックレンジの圧縮率を調整するという方法がある。
【００５０】
次に、ステップＳ５０３で、前記ステップＳ５０２において決定したカラー濃度でコピーの実行を開始する。次に、ステップＳ５０４で、コピーが終了したか否かを終了するまで判断する。そして、コピーが終了した場合は、ステップＳ５０５へ進んで、コピー料金を計算すると共に、ログにも登録した後、本処理動作を終了する。
【００５１】
前記ステップＳ５０５におけるコピー料金の計算には、前記紙種情報（普通紙、厚紙、特殊紙等）と、カラー・白黒等のコピー条件、印刷枚数／面数（片面、両面）等を計算因子として計算される。
【００５２】
また、ログには、カラー濃度調整情報も記憶される。
【００５３】
［第３の実施形態］
次に、本発明の第３の実施形態を図６乃至図８に基づき説明する。
【００５４】
以下の実施形態では、本発明の適用例としてカラー複写機＋画像処理装置のシステムの例が示され、プリンタへの応用例である。
【００５５】
図６は、本実施形態における画像形成装置を有する画像処理システムの構成を示す図である。
【００５６】
本実施形態は、図６に示すように、複数のホストコンピュータ６０１〜６０３と、ネットワーク上に接続されている画像処理装置６１０と、本実施の形態における画像形成装置であるカラー複写機６２０，６２１とにより構成される。
【００５７】
カラー複写機６２０，６２１は、上部にカラー画像読取部（イメージスキャナ部）と、カラー、グレースケールのカラー画像を印刷出力するカラー画像プリンタ部（プリンタ部）とから成る。
【００５８】
カラー複写機６２０，６２１の構成は、上述した第１の実施形態における図１と同一であるので、その説明は省略する。
【００５９】
図７は、ネットワーク上のホストコンピュータ６０１〜６０３の構成を示すブロック図である。
【００６０】
ホストコンピュータ６０１〜６０３は、互いに同一構成で、ネットワーク７００上のプロトコルを制御するためのネットワークコントローラ７０９と、ＲＯＭ(リードオンリーメモリ)７０６、またはハードディスク７１０に記憶されたプログラムに従ってホストコンピュータ６０１〜６０３の中央制御を司るＣＰＵ(中央演算処理装置)７０１と、画像データの一時登録、各種データを記憶するためのハードディスク７１０と、それを制御するハードディスクコントローラ７０８と、メインメモリ７０７と、オペレータからの指示入力手段としてのマウス７１１及びキーボード７１３と、それらを制御するためのキーボード／マウスコントローラ７０５と、レイアウト／編集メニュー表示等を行うためのディスプレイ７１２と、ディスプレイメモリ７０３と、ディスプレイコントローラ７０４及びディスプレイメモリ７０３上での画像レイアウト／編集を行う画像編集コントローラ７０２とから構成される。
【００６１】
図８は、画像処理装置６１０の内部構成を示すブロック図である。
【００６２】
図８において、８０１１はＣＰＵ(中央演算処理装置)で、後述するＲＯＭ(リードオンリーメモリ)８０１２に記憶されたプログラムに基づいて、画像処理装置６１０全体の制御を司る。同時に、このＣＰＵ８０１１は、ＰＤＬ(ページ記述言語)データの画像展開処理を並列的に行う必要があるので、本実施形態では、処理速度の早いＲＩＳＣ（Ｒｅｄｕｃｅｄ  Ｉｎｓｔｒｕｃｔｉｏｎ  Ｓｅｔ  Ｃｏｍｐｕｔｅｒ）−ＣＰＵを用いる。８０１２はＲＯＭ（リードオンリーメモリ）、８０１３はフレームメモリであるＤＲＡＭ(ダイナミックランダムアクセスメモリ)で、一部領域としてＰＤＬバッファ８０１３ａを有している。８０１４は色変換処理回路、８０１５はホストＩ／Ｆ(インターフェース)、８０１６はアドレス発生回路、８０１７はシリアル通信コントローラ、８０１８は書き込みアドレス、８０１９はＨＤＤ（ハードディスクドライブ）コントローラ、８０２０は内蔵ＨＤＤ（ハードディスクドライブ）、８０２１はＦＩＦＯ(Ｆｉｒｓｔ  ｉｎ  Ｆｉｒｓｔ  ｏｕｔ)は、画像処理装置６１０／カラー複写機間で送受信される画像データの同期を取るためのメモリであり、８０２２はビデオＩ／Ｆ(インターフェース)、８０２３は操作パネルコントローラ、８０２４は操作パネル、８０２５は外部ＨＤＤ（ハードディスクドライブ）Ｉ／Ｆ(インターフェース)である。
【００６３】
まず、ホストＩ／Ｆ８０１５のパラレル／ＬＡＮ（ローカルエリアネットワーク）コントローラで、ホストコンピュータ６０１〜６０３からのＰＤＬデータを受信する。この時、ＰＤＬデータは、ホストコンピュータ６０１〜６０３よりパラレル、またはＬＡＮ  Ｉ／Ｆのいずれかで送られて来るが、ケーブルは同時に接続しておくことができる。そして、ホストコンピュータ６０１〜６０３からの要求があった際に、自動的に各インターフェースを切り替える。
【００６４】
このようにして受信したＰＤＬデータは、ＣＰＵバスを介して、一旦ＤＲＡＭ(ダイナミックランダムアクセスメモリ)８０１３の一部領域であるＰＤＬバッファ８０１３ａに記憶される。そして、ＣＰＵ８０１１が、ＲＯＭ８０１２や内蔵ＨＤＤ８０２０、若しくは外部ＨＤＤに記憶されているフォントデータを用いて、受信したＰＤＬデータからラスター画像データ（レッド、グリーン、ブルー）に展開する。そして、アドレス発生回路８０１６により、各フレームメモリへの書き込みアドレス８０１８を発生して、そのラスター画像データをＤＲＡＭ８０１３に記憶する。その後、ＤＲＡＭ８０１３より色変換処理部８０１４に送り、色変換処理を施す。
【００６５】
つまり、レッド、グリーン、ブルーのラスター画像データからカラー複写機（図１参照）でプリントできるラスター画像データ（シアン、マゼンタ、イエロー、ブラック）に変換する。
【００６６】
上述したカラー複写機（図１参照）は、複数の出力色成分シアン、マゼンタ、イエロー、ブラックについて面順次に画像形成を行うカラー電子写真複写機であるため、ＤＲＡＭ８０１３に記憶されたラスター画像データは、カラー複写機（図１参照）からの同期信号（不図示）に基づいて、同期のとれた画像データとして読み出せるように、一旦、ＦＩＦＯ８０２１に記憶される。
【００６７】
そして、そのラスター画像データは、ビデオＩ／Ｆ８０２２を介してカラー複写機６２０，６２１に送出される。同時に、カラー複写機６２０，６２１側では、そのラスター画像データに基づいて画像形成を行う。
【００６８】
また、本実施形態におけるプリント制御に関する第１及び第２の実施形態との相違点は、原稿台から読み取った画像をコピーするか、ホストコンピュータ６０１〜６０３からの画像をプリントするかであり、処理フローは、上述した第１の実施形態における図３及び第２の実施形態における図５と略同一であるから、その説明は省略する。
【００６９】
以上が本発明の実施形態の説明であるが、本発明は、これら実施形態の構成に限られるものではなく、特許請求の範囲で示した機能、または実施形態の構成が持つ機能が達成できる構成であれば、どのようなものであっても適用可能である。
【００７０】
また、本発明の目的は、前述した実施形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００７１】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７２】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）等が実際の処理の一部または全部を行い、その処理によって、前述した実施形態の機能が実現される場合も含まれることは言うまでもない。
【００７３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【００７４】
【図１】本発明の第１の実施形態における画像形成装置であるカラー複写機の構成を示す断面図である。
【図２】本発明の第１の実施形態の画像形成装置における定着モードの体系を説明するための図である。
【図３】本発明の第１の実施形態における画像形成装置の動作の流れを示すフローチャートである。
【図４】本発明の第１の実施形態の画像形成装置におけるＩＣチップ（ＲＦＩＤチップ）の基本構成を示す図である。
【図５】本発明の第２の実施形態における画像形成装置の動作の流れを示すフローチャートである。
【図６】本発明の第３の実施形態における画像形成装置を有する画像処理・画像形成システムの構成を示す図である。
【図７】本発明の第３の実施形態の画像形成装置を有する画像処理・画像形成システムにおけるホストコンピュータの構成を示すブロック図である。
【図８】本発明の第３の実施形態における画像形成装置の構成を示すブロック図である。
【符号の説明】
【００７５】
１００        画像形成装置（カラー複写機）
１００Ｓ      イメージスキャナ部
１００Ｐ      プリンタ部
１０１        鏡面圧板
１０２        原稿台ガラス（プラテン）
１０３        原稿
１０４ａ      ランプ
１０４ｂ      ランプ
１０５        ミラー
１０６        ミラー
１０７        ミラー
１０８        レンズ
１０９        ３ラインセンサ（ＣＣＤ）
１１０        信号処理
１１１        レーザドライバー
１１２        半導体レーザ
１１３        ポリゴンミラー
１１４        ｆ−θレンズ
１１５        ミラー
１１６        感光ドラム
４０１        フロントエンドシステム
４０２        ミューチップデータ
４０２ａ      ヘッダ
４０２ｂ      識別子
４０２ｃ      アプリデータ
４０３        台紙
４０４        内部アンテナ付きミューチップ
４０５        リーダ側アンテナ
４０６        リーダ
４０７        外部アンテナ
４０８        外部アンテナ付きミューチップ
４０９        バックエンドシステム
４１０        ＰＣ（パーソナルコンピュータ）
６０１        ホストコンピュータ
６０２        ホストコンピュータ
６０３        ホストコンピュータ
６１０        画像処理装置
６２０        カラー複写機
６２１        カラー複写機
７００        ネットワーク
７０１        ＣＰＵ(中央演算処理装置)
７０２        画像編集コントローラ
７０３        ディスプレイメモリ
７０４        ディスプレイコントローラ
７０５        キーボード／マウスコントローラ
７０６        ＲＯＭ(リードオンリーメモリ)
７０７        メインメモリ
７０８        ハードディスクコントローラ
７０９        ネットワークコントローラ
７１０        ハードディスク
７１１        マウス
７１２        ディスプレイ
７１３        キーボード
８０１１      ＣＰＵ(中央演算処理装置)
８０１２      ＲＯＭ(リードオンリーメモリ)
８０１３      フレームメモリであるＤＲＡＭ(ダイナミックランダムアクセスメモリ)
８０１４      色変換処理
８０１５      ホストＩ／Ｆ
８０１６      アドレス発生回路
８０１７      シリアル通信コントローラ
８０１８      書き込みアドレス
８０１９      ＨＤＤ(ハードディスクドライブ)コントローラ
８０２０      内蔵ＨＤＤ(ハードディスクドライブ)
８０２１      ＦＩＦＯ(画像同期メモリ）
８０２２      外部Ｉ／Ｆ（インターフェース）
８０２３      操作パネルコントローラ
８０２４      操作パネル
８０２５      外部ＨＤＤ(ハードディスクドライブ)Ｉ／Ｆ（インターフェース）
【図１】
2005107281.tif 000003
【図２】
2005107281.tif 000004
【図３】
2005107281.tif 000005
【図４】
2005107281.tif 000006
【図５】
2005107281.tif 000007
【図６】
2005107281.tif 000008
【図７】
2005107281.tif 000009
【図８】
2005107281.tif 000010